【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
複数のホワイトバランスのモードを備える撮像装置であって、
被写体を撮像して映像信号を得る撮像手段と、
前記撮像手段により得られた映像信号の積分処理を行い、前記ホワイトバランスのモード毎に、ホワイトバランス積分値を得る積分手段と、
前記積分手段により得られたホワイトバランス積分値を用いた演算処理を行い、光源の色温度を補正するためのホワイトバランス制御値を算出する演算手段と、
前記演算手段によって算出された前記ホワイトバランス制御値を前記映像信号に基づく画像データに格納する格納手段と、
前記積分手段に設定された積分パラメータ、当該積分パラメータが設定された前記積分手段によって得られた前記ホワイトバランス積分値、および前記演算手段によって得られた前記ホワイトバランス制御値を、前記ホワイトバランスのモード毎に記憶する記憶手段と、
前記積分手段に設定される積分パラメータを前記記憶手段に記憶された積分パラメータと比較する比較手段と、を備え、
前記比較の結果、前記設定される積分パラメータと同一または近似の積分パラメータが前記記憶手段に記憶されていた場合、前記演算手段は、前記記憶手段から当該積分パラメータに対応する前記ホワイトバランス積分値を読み出し、前記読み出されたホワイトバランス積分値を用いて前記ホワイトバランス制御値を算出することを特徴とする撮像装置。
【請求項２】
前記積分手段は、前記積分処理を、前記映像信号を複数のブロックに分け各ブロックの色信号の積分値を得るブロック積分と、前記映像信号の各画素の信号値を色度座標に展開し前記積分パラメータによって表現される所定の領域についての色信号の積分値を得る白サーチ積分とによって構成し、前記白サーチ積分を前記ホワイトバランスのモード毎に実行し、前記ブロック積分を撮影毎に実行することを特徴とする請求項１記載の撮像装置。
【請求項３】
前記記憶手段は、前記ブロック積分による積分値を１つ保持する記憶領域を有することを特徴とする請求項２記載の撮像装置。
【請求項４】
前記積分手段に設定される前記積分パラメータは、前記白サーチ積分における黒体放射カーブとその近傍の領域、および前記積分処理を行う際のしきい値を設定値として含み、前記設定値は、前記ホワイトバランスのモードによって変化しない場合、全てのホワイトバランスのモードに共通して１回だけ求められることを特徴とする請求項１記載の撮像装置。
【請求項５】
前記積分手段による積分処理中、前記演算手段による演算処理を並行して実行させることを特徴とする請求項１記載の撮像装置。
【請求項６】
前記積分手段による積分処理の完了後、前記映像信号の現像処理を開始し、前記現像処理と前記演算処理を並行して実行させることを特徴とする請求項５記載の撮像装置。
【請求項７】
前記積分手段による積分処理および前記演算手段による演算処理を繰り返し実行することで、複数のホワイトバランスのモードに対応したホワイトバランス制御値が算出されることを特徴とする請求項１記載の撮像装置。
【請求項８】
複数のホワイトバランスのモードを備える撮像装置のホワイトバランス制御方法であって、
被写体を撮像して映像信号を得る撮像ステップと、
前記撮像ステップで得られた映像信号の積分処理を行い、前記ホワイトバランスのモード毎に、ホワイトバランス積分値を得る積分ステップと、
前記積分ステップで得られたホワイトバランス積分値を用いた演算処理を行い、光源の色温度を補正するためのホワイトバランス制御値を算出する演算ステップと、
前記演算ステップで算出された前記ホワイトバランス制御値を前記映像信号に基づく画像データに格納する格納ステップと、
前記積分ステップに設定された積分パラメータ、当該積分パラメータが設定された前記積分ステップによって得られた前記ホワイトバランス積分値、および前記演算ステップによって得られた前記ホワイトバランス制御値を、前記ホワイトバランスのモード毎に記憶手段に記憶する記憶ステップと、
前記積分ステップにおいて設定される積分パラメータを前記記憶手段に記憶された積分パラメータと比較する比較ステップと、を有し、
前記比較の結果、前記設定される積分パラメータと同一または近似の積分パラメータが前記記憶手段に記憶されていた場合、前記演算ステップは、前記記憶手段から当該積分パラメータに対応する前記ホワイトバランス積分値を読み出し、前記読み出されたホワイトバランス積分値を用いて前記ホワイトバランス制御値を算出することを特徴とする撮像装置のホワイトバランス制御方法。
【請求項９】
複数のホワイトバランスのモードを備える撮像装置のホワイトバランス制御方法をコンピュータに実行させるプログラムであって、
前記ホワイトバランス制御方法は、
被写体を撮像して映像信号を得る撮像ステップと、
前記撮像ステップで得られた映像信号の積分処理を行い、前記ホワイトバランスのモード毎に、ホワイトバランス積分値を得る積分ステップと、
前記積分ステップで得られたホワイトバランス積分値を用いた演算処理を行い、光源の色温度を補正するためのホワイトバランス制御値を算出する演算ステップと、
前記演算ステップで算出された前記ホワイトバランス制御値を前記映像信号に基づく画像データに格納する格納ステップと、
前記積分ステップに設定された積分パラメータ、当該積分パラメータが設定された前記積分ステップによって得られた前記ホワイトバランス積分値、および前記演算ステップによって得られた前記ホワイトバランス制御値を、前記ホワイトバランスのモード毎に記憶手段に記憶する記憶ステップと、
前記積分ステップにおいて設定される積分パラメータを前記記憶手段に記憶された積分パラメータと比較する比較ステップと、を有し、
前記比較の結果、前記設定される積分パラメータと同一または近似の積分パラメータが前記記憶手段に記憶されていた場合、前記演算ステップは、前記記憶手段から当該積分パラメータに対応する前記ホワイトバランス積分値を読み出し、前記読み出されたホワイトバランス積分値を用いて前記ホワイトバランス制御値を算出することを特徴とするプログラム。
【請求項１０】
請求項９記載のプログラムを格納することを特徴とするコンピュータで読み取り可能な記憶媒体。
【手続補正２】
【補正対象書類名】明細書
【補正対象項目名】００１１
【補正方法】変更
【補正の内容】
【００１１】
上記目的を達成するために、本発明の撮像装置は、複数のホワイトバランスのモードを備える撮像装置であって、被写体を撮像して映像信号を得る撮像手段と、前記撮像手段により得られた映像信号の積分処理を行い、前記ホワイトバランスのモード毎に、ホワイトバランス積分値を得る積分手段と、前記積分手段により得られたホワイトバランス積分値を用いた演算処理を行い、光源の色温度を補正するためのホワイトバランス制御値を算出する演算手段と、前記演算手段によって算出された前記ホワイトバランス制御値を前記映像信号に基づく画像データに格納する格納手段と、前記積分手段に設定された積分パラメータ、当該積分パラメータが設定された前記積分手段によって得られた前記ホワイトバランス積分値、および前記演算手段によって得られた前記ホワイトバランス制御値を、前記ホワイトバランスのモード毎に記憶する記憶手段と、前記積分手段に設定される積分パラメータを前記記憶手段に記憶された積分パラメータと比較する比較手段と、を備え、前記比較の結果、前記設定される積分パラメータと同一または近似の積分パラメータが前記記憶手段に記憶されていた場合、前記演算手段は、前記記憶手段から当該積分パラメータに対応する前記ホワイトバランス積分値を読み出し、前記読み出されたホワイトバランス積分値を用いて前記ホワイトバランス制御値を算出することを特徴とする。
【手続補正３】
【補正対象書類名】明細書
【補正対象項目名】００１２
【補正方法】変更
【補正の内容】
【００１２】
本発明の撮像装置のホワイトバランス制御方法は、複数のホワイトバランスのモードを備える撮像装置のホワイトバランス制御方法であって、被写体を撮像して映像信号を得る撮像ステップと、前記撮像ステップで得られた映像信号の積分処理を行い、前記ホワイトバランスのモード毎に、ホワイトバランス積分値を得る積分ステップと、前記積分ステップで得られたホワイトバランス積分値を用いた演算処理を行い、光源の色温度を補正するためのホワイトバランス制御値を算出する演算ステップと、前記演算ステップで算出された前記ホワイトバランス制御値を前記映像信号に基づく画像データに格納する格納ステップと、前記積分ステップに設定された積分パラメータ、当該積分パラメータが設定された前記積分ステップによって得られた前記ホワイトバランス積分値、および前記演算ステップによって得られた前記ホワイトバランス制御値を、前記ホワイトバランスのモード毎に記憶手段に記憶する記憶ステップと、前記積分ステップにおいて設定される積分パラメータを前記記憶手段に記憶された積分パラメータと比較する比較ステップと、を有し、前記比較の結果、前記設定される積分パラメータと同一または近似の積分パラメータが前記記憶手段に記憶されていた場合、前記演算ステップは、前記記憶手段から当該積分パラメータに対応する前記ホワイトバランス積分値を読み出し、前記読み出されたホワイトバランス積分値を用いて前記ホワイトバランス制御値を算出することを特徴とする。
【手続補正４】
【補正対象書類名】明細書
【補正対象項目名】００１３
【補正方法】変更
【補正の内容】
【００１３】
本発明のプログラムは、複数のホワイトバランスのモードを備える撮像装置のホワイトバランス制御方法をコンピュータに実行させるプログラムであって、前記ホワイトバランス制御方法は、被写体を撮像して映像信号を得る撮像ステップと、前記撮像ステップで得られた映像信号の積分処理を行い、前記ホワイトバランスのモード毎に、ホワイトバランス積分値を得る積分ステップと、前記積分ステップで得られたホワイトバランス積分値を用いた演算処理を行い、光源の色温度を補正するためのホワイトバランス制御値を算出する演算ステップと、前記演算ステップで算出された前記ホワイトバランス制御値を前記映像信号に基づく画像データに格納する格納ステップと、前記積分ステップに設定された積分パラメータ、当該積分パラメータが設定された前記積分ステップによって得られた前記ホワイトバランス積分値、および前記演算ステップによって得られた前記ホワイトバランス制御値を、前記ホワイトバランスのモード毎に記憶手段に記憶する記憶ステップと、前記積分ステップにおいて設定される積分パラメータを前記記憶手段に記憶された積分パラメータと比較する比較ステップと、を有し、前記比較の結果、前記設定される積分パラメータと同一または近似の積分パラメータが前記記憶手段に記憶されていた場合、前記演算ステップは、前記記憶手段から当該積分パラメータに対応する前記ホワイトバランス積分値を読み出し、前記読み出されたホワイトバランス積分値を用いて前記ホワイトバランス制御値を算出することを特徴とする。
【手続補正５】
【補正対象書類名】明細書
【補正対象項目名】００１７
【補正方法】変更
【補正の内容】
【００１７】
また、積分パラメータが同一または近似である場合、積分処理を省略することで、処理時間を短縮することができる。
【手続補正６】
【補正対象書類名】明細書
【補正対象項目名】００１８
【補正方法】変更
【補正の内容】
【００１８】
請求項２に係る撮像装置によれば、ホワイトバランスの積分値を精度良く算出することができる。請求項３に係る撮像装置によれば、複数のホワイトバランスのモードでブロック積分による積分値を共通して使用することができる。請求項４に係る撮像装置によれば、積分パラメータの設定を容易に行うことができる。
【手続補正７】
【補正対象書類名】明細書
【補正対象項目名】００１９
【補正方法】変更
【補正の内容】
【００１９】
請求項５に係る撮像装置によれば、積分処理と演算処理を並行して実行させることで、処理時間の短縮を図ることができる。請求項６に係る撮像装置によれば、演算処理を現像処理と並行して実行させることで、全体の処理時間を短縮することができる。請求項７に係る撮像装置によれば、全てのホワイトバランスのモードに対応することができる。